(57)【要約】      （修正有）【課題】摩擦力を大幅に低減して小さな力で操作することができるマウスの底部パッドを提供する。【解決手段】マウス３の底面３３の四隅に底面パッド５を配置する。該底面パッド５はベース５０と凸部５１よりなり、該凸部の先端は、接触面６との間が、点接触となるよう球体状や円錐状とする。該凸部５１の頂点からベース５０の表面までの最小距離を４ｍｍ以下に設定する。マウスの本体３は、その表面３１が弧状に形成され、表面３１の前方上方には押し圧されるキー３２が設けられ、該本体３の底面３３には略中央にセンサー部材４（例えばローラー、センサー、工学センサー、赤外線センサーなど）が設けられ、底面３３の外周縁部には位置決め部３４が設けられ、凸状の凸部５１を具えた底部パッド５を設けるために供する。【選択図】図７
0003143935.tif 000002
【実用新案登録請求の範囲】
【請求項１】
底部パッドを含んでなり、
該底部パッドがベースと凸部とを含んでなり、該ベースは表面から上方に突出した凸部が設けられ、該凸部の頂点とベースの表面との距離が４ｍｍ以上にならないことを特徴とするマウスの底部パッド。
【請求項２】
前記底部パッドの凸部が、もう一方の表面がマウスの本体の底面に設けられ、該底部パッドの凸部とマウス本体の底面とが異なる材質から形成され、凸部の硬度および耐磨耗性がいずれもマウスの底面よりも高く、凸部の最も外側が必ず本体の底面よりも突出して形成されることを特徴とする請求項１に記載のマウスの底部パッド。
【請求項３】
前記マウスの底部パッドの凸部のもう一方の表面がマウスの本体の底面の位置決め部に設けられ、且つ底部パッドの凸部とマウスの本体の底面とは異なる材質で形成され、該凸部の硬度と耐磨耗性がいずれも底面よりも高く、凸部の最も外側が必ずマウスの本体の底面よりも突出して形成されることを特徴とする請求項１に記載のマウスの底部パッド。
【請求項４】
前記底部パッドとマウスの底面との間の接続は、一体被覆成形か、釘などで接続する、螺設、嵌設、粘着、強制的に押し圧する接続であることを特徴とする請求項２に記載のマウスの底部パッド。
【請求項５】
前記底部パッドとマウスの底面との間の接続は、一体被覆成形か、釘などで接続する、螺設、嵌設、粘着、強制的に押し圧する接続であることを特徴とする請求項３に記載のマウスの底部パッド。
【請求項６】
前記底部パッドの凸部の形状が弧を描いた凸状、球体状、略球体状、楕円の弧を描いた凸状、円錐状であることを特徴とする請求項４、或いは５に記載のマウスの底部パッド。
【請求項７】
前記底部パッドが金属材質か、或いは高強度鋼材から形成することを特徴とする請求項４、或いは５に記載のマウスの底部パッド。
【考案の詳細な説明】
【技術分野】
【０００１】
この考案は、マウスの底部パッドに関し、特にコンピュータを操作する場合に使用するマウスの底部パッドに関する。
【背景技術】
【０００２】
図１、図２は、従来のマウスを示したものである。図面によれば、従来のマウスは、本体１と、弧状に形成された該本体１の後方表面１０と、該後方表面１０の前方上方に設けられたボタン１２と、該本体１の底部１１の略中間に設けられたローラー２と、該ローラー２の周辺に設けられた凸部１３と、該凸部１３の内部に設けられた平面上の滑り止めパッド１４とを含んでなる。
【０００３】
前述のように、該マウスの本体１は該凸部１３と滑り止めパッド１４とに支持される。よって、マウスの本体１の底部１１が机、或いはマウスの底部に全面的に接触することがないため、比較的簡単にマウスを操作することができる。
【０００４】
しかしながら、ユーザーが長時間マウスを操作する場合にはいくつか欠点がある。該マウスの底部の凸部は直径、或いはサイズがいずれも少なくとも５ｍｍ以上（例えば直径が７ｍｍの円形状、或いは６×１５ｍｍの楕円形、湾曲した弧状など）であって、凸部に設けられた滑り止めパッドは軟質の材料で平面体に形成される。
【０００５】
一つの凸部に設けられた滑り止めパッドが机の面に接触する場合、一定の摩擦力が発生する。同様にマウスの底部に設けられた四つの凸部が同時に机の面に接触する場合には、一つの凸部が接触して形成される摩擦力の４倍の摩擦力が発生する。
【０００６】
よって、ユーザーがマウスを長時間使用する場合には比較的大きな力でマウスを操作する必要があるため、ユーザーの手が疲れ易くなり、甚だしくは職業病と呼ばれている腱鞘炎を発症して再びマウスが使用できなくなるか、或いは仕事を辞めなければならない状況が発生する可能性がある。
【０００７】
前述のように、長時間の操作、移動させるためには比較的大きな力が必要になるため、ユーザーがマウスを制御して位置決めすることが難しい。特に、老人や子供、手をリハビリ中の人、或いは手を制御する能力が不足している人はマウスの操作が難しくなる、という問題がある。
【０００８】
また、従来のマウスはコンピュータのモニタ上で、隣接する表示との距離や位置が非常に小さい場合、マウスの摩擦力で操作が阻害されて位置決めする操作がし難くなり、一度操作しただけでは位置決めできないため、何度も操作をしなければならないだけでなく、マウスが機敏に反応しないため、操作、制御し難い。
【考案の開示】
【考案が解決しようとする課題】
【０００９】
この考案は、摩擦力を大幅に低減して小さな力で操作することができるマウスの底部パッドを提供することを課題とする。
【課題を解決するための手段】
【００１０】
そこで本考案者は、従来の技術に鑑み鋭意研究を重ねた結果、底部パッドを含んでなり、
該底部パッドがベースと凸部とを含んでなり、該ベースは表面から上方に突出した凸部が設けられ、該凸部の頂点とベースの表面との距離が４ｍｍ以上にならないマウスの底部パッドの構造によって課題を解決できる点に着眼し、係る知見に基づき本考案を完成させた。
以下、この考案について具体的に説明する。
【００１１】
請求項１に記載するマウスの底部パッドは、底部パッドを含んでなり、
該底部パッドがベースと凸部とを含んでなり、該ベースは表面から上方に突出した凸部が設けられ、該凸部の頂点とベースの表面との距離が４ｍｍ以上にならない。
【００１２】
請求項２に記載のマウスの底部パッドは、請求項１における底部パッドの凸部が、もう一方の表面がマウスの本体の底面に設けられ、該底部パッドの凸部とマウス本体の底面とが異なる材質から形成され、凸部の硬度および耐磨耗性がいずれもマウスの底面よりも高く、凸部の最も外側が必ず本体の底面よりも突出して形成される。
【００１３】
請求項３に記載のマウスの底部パッドは、請求項１におけるマウスの底部パッドの凸部のもう一方の表面がマウスの本体の底面の位置決め部に設けられ、且つ底部パッドの凸部とマウスの本体の底面とは異なる材質で形成され、該凸部の硬度と耐磨耗性がいずれも底部よりも高く、凸部の最も外側が必ずマウスの本体の底面よりも突出して形成される。
【００１４】
請求項４に記載のマウスの底部パッドは、請求項２における底部パッドとマウスの底面との間の接続方法が、一体被覆成形か、釘などで接続する、螺設、嵌設、粘着、強制的に押し圧する方法である。
【００１５】
請求項５に記載のマウスの底部パッドは、請求項３における底部パッドとマウスの底面との間の接続方法が、一体被覆成形か、釘などで接続する、螺設、嵌設、粘着、強制的に押し圧する方法である。
【００１６】
請求項６に記載のマウスの底部パッドは、請求項４、或いは５における底部パッドの凸部の形状が弧を描いた凸状、球体状、略球体状、楕円の弧を描いた凸状、円錐状である。
【００１７】
請求項７に記載のマウスの底部パッドは、請求項４、或いは５における底部パッドが金属材質か、或いは高強度鋼材から形成する。
【考案の効果】
【００１８】
この考案のマウスは、長時間操作しても疲れることがなく、手の力が弱い人でも操作し易いという効果を有する。
【考案を実施するための最良の形態】
【００１９】
この考案は、摩擦力を大幅に低減して小さな力で操作することができるマウスの底部パッドであって、底部パッドを含んでなり、
該底部パッドがベースと凸部とを含んでなり、該ベースは表面から上方に突出した凸部が設けられ、該凸部の頂点とベースの表面との距離が４ｍｍ以上にならない。
係る構成のマウスの底部パッドについて、その構造と特徴を詳述するために具体的な実施例を挙げ、以下に説明する。
【実施例】
【００２０】
図３から図７は、この考案のマウスの底部パッドを示したものである。図面によれば、該マウスの底部パッドは、底部パッド５とを含んでなる。該底部パッド５は、ベース５０と、凸部５１とを含んでなる。
【００２１】
該ベース５０は、表面に上方に向けて突出した凸部５１が設けられる。該凸部５１は、形状が弧を描いた凸状、球体状、略球体状、楕円の弧を描いた凸状、円錐状などが好ましい形状である。また、該凸部５１の頂点からベース５０の表面あでの間の最小距離Ａが４ｍｍ以上になってはいけない。
【００２２】
該ベース５０は、もう一方の表面５０１がマウスの本体３の底面３３に設けられ、凸部５１が本体３を支持するために供する。
【００２３】
上述の底部パッド５と底面３３との間とを組み合わせる方法は、一体被覆成形、釘などで接続する、螺設、嵌設、粘着、強制的に押し圧するなどが好ましい。
【００２４】
マウスの本体３は、その表面３１が弧状に形成され、表面３１の前方上方には押し圧されるキー３２が設けられ、該本体３の底面３３には略中央にセンサー部材４（例えばローラー、センサー、工学センサー、赤外線センサーなど）が設けられ、底面３３の外周縁部には位置決め部３４が設けられ、凸状の凸部５１を具えた底部パッド５を設けるために供する。
【００２５】
該底部パッド５の凸部５１は、最も外側が本体３の底面３３から突出するとともに、底部パッド５の凸部５１の作用でマウスの本体３の底面３３が接触面６と適宜な距離（約１〜２．５ｍｍ）を維持して、センサー部材４が直接接触して反応する場合、或いは間隔で光学的な反応をするために便利である。
【００２６】
上述の位置決め部は、凹溝、孔、凸面が好ましい。また、マウスの本体３の底面３３と底部パッド５の凸部５１は、異なる材質から形成される。該底部パッド５の硬度、および耐磨耗性はいずれも底面３３よりも高く、底部パッド５は金属材か、或いは高強度鋼材などで形成することが好ましい。
【００２７】
使用する場合、凸部５１を突出して設けた底部パッド５を粘着して貼着する方法で直接、マウスの本体３の底面３３の外周縁部に設けられた位置決め部３４に必ず設ける。
【００２８】
マウスの本体３の底面に設けられた底部パッド５の凸部５１は下向きで直接、接触面６に接触する。該凸部５１が支持するため、マウスの本体３の底面３３が接触面６と適宜な距離（約１〜２．５ｍｍ）を維持する。よって、センサー部材４が直接、接触して反応するか、或いは間隔で光学的センサーが反応をして位置を感知するために便利である。
【００２９】
この実施形態では、凸部５１の形状が球体で、凸部５１と接触面６との間が点で接触する。よって、マウスの本体３と接触面６との間の接触面積が最小になり、凸部５１と接触面６との間で発生する摩擦力が大幅に減少する。
【００３０】
前述の構造により、ユーザーは、小さい力でマウスの本体３を微妙な幅で制御することができ、操作にすばやく反応する特性を具えてなる。また、長時間、マウスでコンピュータを操作していてもユーザーの手が疲れるなどの負担が発生することがなく、ユーザーの手が損傷することや、職業病などが発生することを防ぐことができる。
【００３１】
また、隣接する図案などの距離が非常に小さいために一度で操作することができない、という問題を改善し、微小な力でわずかな距離を移動させて操作することができる。このため、老人、子供、手を損傷してリハビリが必要な人、或いは手の制御能力が弱い人でも使用することができるため、市場における競争力やシェアを高めることができる。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３３】
【図１】従来のマウスを示した底面図である。
【図２】図１に開示するマウスを示した局部拡大図である。
【図３】この考案のマウスの底パッドを示した斜視図である。
【図４】図３に開示するマウスの底パッドを示した断面図である。
【図５】この考案のマウスの底パッドとマウスの本体とを示した説明図である。
【図６】図５のマウスの底パッドとマウスの本体とを組み合わせた状態を示した底面図である。
【図７】図５のマウスの底パッドとマウスの本体とを組み合わせた状態を示した局部拡大図である。
【符号の説明】
【００３４】
１       本体
１０     後方表面
１１     底部
１２     ボタン
１３     凸部
１４     滑り止めパッド
２       ローラー
３       本体
３１     表面
３２     キー
３３     底面
３４     位置決め部
４       センサー部材
５       底部パッド
５０     ベース
５０１   表面
５１     凸部
６       接触面
Ａ       最小距離
【図１】
0003143935.tif 000003
【図２】
0003143935.tif 000004
【図３】
0003143935.tif 000005
【図４】
0003143935.tif 000006
【図５】
0003143935.tif 000007
【図６】
0003143935.tif 000008
【図７】
0003143935.tif 000009